(57)【要約】【課題】  画像を用いて本人照合する場合において、同一の画像を固定的に使用して本人確認を行うことでセキュリティレベルが低下する。【解決手段】  本人確認を行うに際して、異なる角度で撮影された複数の画像マスター管理情報205の中からランダムに一件を選定して本人照合を行う機能、及び画像採取日付から判断して画像マスター情報の更新時期に達している場合には、生体情報システムを使用中の利用者から新しい写真を撮影して、古くなった画像マスター情報を更新する機能を備えた。【選択図】  図１
2008033850.tif 000002
【特許請求の範囲】
【請求項１】
生体情報を用いて本人確認を行う生体情報照合システムにおいて、
予め、認証対象の生体に対する互いに異なる複数の撮影角度を選定する手段と、
選定した複数の撮影角度それぞれについて利用者の生体情報を近赤外線撮影機で撮影して作成した複数の画像マスター情報のそれぞれと、前記画像マスター情報自身を識別する生体情報管理番号と、前記撮影角度とを対応付けて記憶装置に登録する手段と、
前記利用者が生体情報認識装置を作動させた場合に、前記利用者からの入力に基づき生体情報管理番号を特定する手段と、
特定された前記生体情報管理番号に対応付けて記憶された撮影角度を検索する手段と、
検索された前記撮影角度で、前記利用者の生体情報を撮影する手段と、
撮影された前記生体情報と、特定された前記生体情報管理番号に対応付けられた画像マスター情報を比較して、前記利用者の認証を行う手段とを有することを特徴とする生体情報照合システム。
【請求項２】
請求項１記載の生体情報照合システムにおいて、
前記生体情報として、静脈パターンを用いることを特徴とする生体情報照合システム。
【請求項３】
請求項１記載の生体情報照合システムにおいて、
前記登録する手段は、前記複数のマスター画像の撮影時間を記録し、
前記撮影時間と現時間を比較して、所定時間以上経過している場合には、前記複数のマスター画像の更新処理を起動する手段を有することを特徴とする生体情報照合システム。
【請求項４】
請求項３記載の生体情報照合システムにおいて、
前記更新処理を起動する手段は、表示装置に更新時期になったことを示す情報を出力し、
前記登録する手段は、前記利用者の生体情報を撮影する手段を用いて、更新のために撮影された生体情報から作成された画像マスター情報を登録することを特徴とする生体情報照合システム。
【発明の詳細な説明】
【技術分野】
【０００１】
本発明は、生体情報を利用した照合装置と照合システムに関し、特に、移動式カメラの使用、撮影角度を有する画像、及びランダムな撮影角度の選定に関する。
【背景技術】
【０００２】
生体情報は個人の身体に備わったものであり、鍵のように盗まれることがないため、一般的に、生体情報照合システムのセキュリティは高い。しかし、生体情報の複製を作ることは不可能ではなく、例えば、生体情報が指紋の場合、登録されている人物の指紋を複製した指模型を作成して、生体情報認識装置に読み込ませることができる。
このような課題を解決するため、例えば、生体情報が指紋パターンの場合、照合する手の指の種別と順番を定めておき、当人が定められた順番で生体情報認識装置に読み込ませる技術はあった。(例えば、特許文献1)
また、特開昭61-175865号における指紋照合装置では、照合する複数の手指の種別と順番が固定的に設定されているため、複数の生体情報を種別毎に事前に登録しておき、登録されている生体情報の中から少なくとも一つをランダムに選択し、ランダムに選択された種別の生体情報の入力を指示する照合方法はあった。(例えば、特許文献2)
【特許文献１】特開昭61-175865号。
【０００３】
【特許文献２】特開平11-105354号。
【発明の開示】
【発明が解決しようとする課題】
【０００４】
ところが、上述の従来技術のうち、特開昭61-175865号の技術では、特定の複数の指を当人が認識している順番で生体照合装置に認識させるとしているが、利用者の手間と時間を考えるとこの技術は不便な面があるといわざるを得ない。
【０００５】
また、上述の従来技術のうち、特開平11-1053540号の技術では、装置が登録されている複数の生体情報の中から少なくとも一つをランダムに選択し、選択した種別の生体情報の入力を指示して照合を行っているが、利用者にとっては、装置の指示に従って指示された指を読み込ませる必要があるため、手間のかかる仕組みとなっている。
すなわち、利用者にとっては、上述の特開昭61-175865号及び特開平11-1053540号に記載されている技術のように複数の種別の生体情報を使用するのではなく、前もって定められた一種類の生体を使用して本人確認を行う方式の方がわずらわしさは少ない。
【課題を解決するための手段】
【０００６】
そこで、本発明では、複数の角度のそれぞれで撮影した生体情報から複数の画像マスター情報を記憶しておき、認証時には所定の規則（例えばランダム）に従って特定された1以上の撮影角度により生体情報を撮影する。そして、撮影された生体情報と撮影角度が対応する画像マスター情報を比較することにより認証を行う。より詳細には、利用者が生体情報照合サブシステムの生体情報認識装置を作動させた際に生体情報照合サブシステムから生体情報管理サブシステムに対して本人確認用の写真を撮影する角度の選定を依頼し、依頼を受けた生体情報管理サブシステムが事前に登録してある複数の写真を写した撮影角度の中からランダムに一件を選定して生体情報照合サブシステムへと返信し、返信を受けた生体情報照合サブシステムが受信した撮影角度に基づいて生体の写真を撮影して生体情報管理サブシステムに登録されている写真と照合することで本人確認を行う。
【０００７】
以下では、複数写真を利用した本人確認手段の一態様について説明する。
本発明では、移動式カメラを使用して静脈を異なる角度から撮影した複数の写真を元に画像マスター情報を作成し、作成した画像マスター情報と当該写真の撮影角度を項目として含む画像マスター管理情報を個人の特定に用いる一対の基準情報として、生体情報管理サブシステムの記憶装置に事前に複数組登録しておく。
まず、利用者が生体情報認識装置を作動させた時点で、認識プログラムが、利用者から入力された生体情報管理番号を管理プログラムに送信して、本人確認用の写真を撮影する角度の選定を依頼する。
次に、管理プログラムが、認識プログラムからの依頼に基づき、受信した生体情報管理番号を使用して既に登録してある複数の画像マスター管理情報の中からランダムに一件を選定し、選定した撮影角度を認識プログラムに送信して、写真を撮影する角度を指示する。
次に、認識プログラムが、管理プログラムから受信した撮影角度を、生体情報認識装置に送信する。
次に、生体情報認識装置が、認識プログラムから受信した撮影角度に基づいて、備え付けのカメラを移動させ、指示された撮影角度から対象となる静脈の写真を撮影し、撮影した写真画像と撮影角度を認識プログラムに送信する。
次に、認識プログラムが、生体情報認識装置から受信した写真を使用して画像情報を作成し、作成した画像情報と当該写真の撮影角度を項目として含む画像管理情報を一対の情報として管理プログラムに送信する。
そして、管理プログラムが、認識プログラムから受信した画像情報及び画像管理情報を、個人を特定するための基準情報として事前に登録してある画像マスター情報及び画像マスター管理情報と比較して利用者が本人であることを確認する。
【０００８】
以下では、複数の静脈パターンを利用した本人確認の一態様について説明する。
本発明では、静脈の写真そのものではなく、静脈の写真を画像処理して抽出した複数の静脈パターンを元に画像マスター情報を作成し、作成した画像マスター情報と当該写真の撮影角度を項目として含む画像マスター管理情報を個人の特定に用いる一対の基準情報として、生体情報管理サブシステムの記憶装置に事前に複数組登録しておく。
まず、利用者が生体情報認識装置を作動させた時点で、認識プログラムが、利用者から入力された生体情報管理番号を管理プログラムに送信して、本人確認用の写真を撮影する角度の選定を依頼する。
次に、管理プログラムが、認識プログラムからの依頼に基づき、受信した生体情報管理番号を使用して既に登録してある複数の画像マスター管理情報の中からランダムに一件を選定し、選定した撮影角度を認識プログラムに送信して、写真を撮影する角度を指示する。
次に、認識プログラムが、管理プログラムから受信した撮影角度を、生体情報認識装置に送信する。
次に、生体情報認識装置が、認識プログラムから受信した撮影角度に基づいて、備え付けのカメラを移動させ、指示された撮影角度から対象となる静脈の写真を撮影し、撮影した写真画像と撮影角度を認識プログラムに送信する。
次に、認識プログラムが、生体情報認識装置から受信した写真を使用して画像情報を作成し、作成した画像情報と当該写真の撮影角度を項目として含む画像管理情報を一対の情報として管理プログラムに送信する。
そして、管理プログラムが、認識プログラムから受信した画像情報及び画像管理情報を、個人を特定するための基準情報として事前に登録してある画像マスター情報及び画像マスター管理情報と比較して、利用者が本人であることを確認する。
【０００９】
以下では、更新時期に達した写真を更新する機能について説明する。
まず、認識プログラムから受信した画像情報及び画像管理情報を事前に登録してある画像マスター情報及び画像マスター管理情報と比較することで利用者が本人であることを確認でき、かつ、画像マスター管理情報に登録されている写真の採取日付から判断して既に写真の更新時期に達している場合には、管理プログラムが、ランダムに複数の撮影角度を選定し、選定した撮影角度に基づき新しい写真を撮影するように指示するために、選定した撮影角度を認識プログラムに送信する。
次に、認識プログラムが、更新時期が到来したので新しく写真を撮影する旨のメッセージを利用者に対して表示した後、管理プログラムから受信した撮影角度を生体情報認識装置に送信する。
次に、生体情報認識装置が、認識プログラムから受信した撮影角度に従って静脈の写真を複数撮影し、撮影した写真を認識プログラムに送信する。
次に、認識プログラムが、生体情報認識装置から受信した写真を使用して画像情報を作成し、作成した画像情報と当該写真の撮影角度を項目として含む画像管理情報を個人の特定に用いる一対の基準情報として、管理プログラムに複数組送信する。
そして、管理プログラムが、認識プログラムから受信した画像マスター情報と画像マスター管理情報を、個人の特定に用いる新しい基準情報として、記憶装置に複数組登録することによって、更新時期に達した古い写真を更新する。
【００１０】
すなわち、更新前の画像マスターの撮影角度がａ度、ｂ度、ｃ度の場合、更新後の撮影角度をＡ度、Ｂ度、Ｃ度と変更してもよい。そして、ａ：Ａ＝ｂ：Ｂ＝ｃ：Ｃのように規則的に変更してもよい。これには、更新前の撮影角度に同じ（もしくは規則的になにか対応関係のある角度）角度を足したり（もしくは引いたり）、何倍かしたりしてもよいし、ランダムに変更してもよい。
【００１１】
以下では、更新時期に達した静脈パターンを更新する機能の一態様について説明する。
まず、認識プログラムから受信した画像情報及び画像管理情報を事前に登録してある画像マスター情報及び画像マスター管理情報と比較することで利用者が本人であることを確認でき、かつ、画像マスター管理情報に登録されている写真の採取日付からから判断して既に写真の更新時期に達している場合には、管理プログラムが、ランダムに複数の撮影角度を選定し、選定した撮影角度に基づき新しい写真を撮影するように指示するために選定した撮影角度を認識プログラムへと送信する。
次に、認識プログラムが、更新時期が到来したので新しく写真を撮影する旨のメッセージを利用者に対して表示した後、管理プログラムから受信した撮影角度を生体情報認識装置に送信する。
次に、生体情報認識装置が、認識プログラムから受信した撮影角度に従って静脈の写真を複数撮影し、撮影した写真を認識プログラムに送信する。
次に、認識プログラムが、生体情報認識装置から受信した写真を画像処理して抽出した静脈パターンを元に画像情報を作成し、作成した画像情報と当該写真の撮影角度を項目として含む画像管理情報を一対の基準情報として、管理プログラムに複数組送信する。
そして、管理プログラムが、認識プログラムから受信した画像マスター情報と画像マスター管理情報を、個人の特定に用いる新しい基準情報として、記憶装置に複数組登録することによって、更新時期に達した古い静脈パターンを更新する。
【００１２】
なお、本発明には以下の態様も含まれる。
生体情報を用いて本人確認を行う生体情報照合システムにおいて、予め、認証対象の生体に対する互いに異なる複数の撮影角度を選定する手段と、選定した複数の撮影角度それぞれについて利用者の生体情報を近赤外線撮影機で撮影して作成した複数の画像マスター情報のそれぞれと、前記画像マスター情報自身を識別する生体情報管理番号と、前記撮影角度を対応付けて記憶装置に登録する手段と、前記利用者が生体情報認識装置を作動させた場合に、前記利用者からの入力に基づき生体情報管理番号を特定する手段と、特定された前記生体情報管理番号に対応付けて記憶された撮影角度を検索する手段と、検索された前記撮影角度で、前記利用者の生体情報を撮影する手段と、撮影された前記生体情報と、特定された前記生体情報管理番号に対応付けられた画像マスター情報を比較して、前記利用者の認証を行う手段とを有するもの。
【００１３】
また、この生体情報照合システムにおいて、前記生体情報として、静脈パターンを用いるものも本発明に含まれる。
【００１４】
また、上記の生体情報照合システムにおいて、前記登録する手段は、前記複数のマスター画像の撮影時間を記録し、前記撮影時間と現時間を比較して、所定時間以上経過している場合には、前記複数のマスター画像の更新処理を起動する手段を有するものも本発明に含まれる。
【００１５】
さらに、上記の生体情報照合システムにおいて、前記更新処理を起動する手段は、表示装置に更新時期になったことを示す情報を出力し、前記登録する手段は、前記利用者の生体情報を撮影する手段を用いて、更新のために撮影された生体情報から作成された画像マスター情報を登録するものも本発明に含まれる。
【発明の効果】
【００１６】
本発明によれば、それぞれ異なる角度から生体を撮影した複数の写真を元に作成した画像マスター情報と、当該写真の撮影角度を項目として含む画像マスター管理情報を作成して事前に登録しておき、本人照合に際しては、複数の画像マスター管理情報の中からランダムに一件を選定し、選定した画像マスター管理情報に含まれる撮影角度を使用して撮影した照合用の写真画像を登録してある画像マスター情報と比較しているため、常に固定的な画像を使用して本人確認を行っているシステムに比べ、より高いセキュリティレベルを保つことができる。
【発明を実施するための最良の形態】
【００１７】
まず、本実施の形態に関わる基本的な考え方について説明する。
【００１８】
本実施の形態では、まず、移動式カメラを使用して、縦、横、高さを有する静脈の写真を異なる角度から複数枚撮影し、撮影した写真を元に画像マスター情報を作成し、さらに画像マスター情報と当該写真の撮影角度を一対のものとして関連づけた画像マスター管理情報を用いて本人確認を行っている点に特徴がある。
【００１９】
一枚の静脈写真に基づき本人確認を行っている従来の方式では、写真をそのまま生体情報認識装置に読み込ませる不正や透明なフィルムに印刷した写真を生体情報認識装置に読み込ませる類の生体偽造に対しては、十分な対抗力を備えているとは言いがたい。
そこで、本発明では、移動式カメラを使用して、それぞれ異なる角度から複数の写真画像を撮影して、個人を特定するための基準情報として事前に画像マスター情報を登録しておき、本人照合に際しては、画像マスター情報として登録してある複数の写真画像の中からランダムに一件を選定し、選定した写真画像の撮影角度を使用して照合用の写真画像を撮影し、撮影した照合用の写真画像と事前に登録してある写真画像と比較することで本人確認を行うこととした。
【００２０】
本発明の一実施形態における生体情報認識装置101の使用例を示した断面図である図2を用いて、事前に登録してある複数の写真の中からランダムに一枚を選定し、選定した写真の撮影角度を使用して照合用の写真を撮影する仕組みを具体的に説明する。
生体情報認識装置101には移動可能な近赤外線光源102と移動カメラ104が備え付けられており、近赤外線光源102と移動カメラ104は円筒内に挿入された指の周囲を連動して回転する構造となっている
図2の例では、近赤外線光源102が180度の位置にある時、移動カメラ104は0度に位置していており、この状態で静脈を撮影した場合、静脈の写真はA面に投影された二次元の写真画像となる。光源を移動させて近赤外線光源103を135度に位置づけた時、移動カメラ105は315度に位置しており、この状態で静脈を撮影した場合、静脈の写真はB面に投影されて二次元の写真画像となる。
【００２１】
図2では、カメラの位置を315度とO度の場合だけを表示してあるが、本来的には、O度から360度の範囲の間であれば、何度であってもよい。
まず、本人確認を行おうとする利用者が、指を生体情報認識装置101に挿入した時、生体情報照合サブシステム100の認識プログラム107が、利用者の生体情報管理番号を生体情報管理サブシステム200に送信して、本人照合用に用いる写真を撮影する角度の選定を依頼し、依頼を受けた生体情報管理サブシステム200はランダムに撮影角度を選定して、選定した撮影角度を生体情報照合サブシステム100に通知し、通知を受けた撮影角度に従って生体情報認識装置101が写真を撮影する。
【００２２】
以下では、本発明に関わる補足的な事項について説明する。
静脈における生体特徴点とは、静脈分岐点、ある静脈分岐点と他の静脈分岐点の位置関係、特定の静脈線と他の静脈線との相対的な位置関係、静脈の太さ、静脈の屈折点と屈折角度、静脈写真の画像、特異性のある静脈パターン等の総称である。
また、本発明における画像とは、静脈写真に基づき本人確認を行っている場合には写真のことであり、静脈写真を画像処理して抽出した静脈パターンに基づき本人確認を行っている場合には静脈パターンのことである。
【００２３】
また、画像情報とは写真画像または静脈パターンであり、画像管理情報とは利用者に付与した生体情報管理番号、画像情報に対して付与した画像管理番号、撮影角度、画像採取日付などから構成されている。
また、画像情報と撮影角度を一対のものとして関連づけるとは、特定の撮影角度から静脈を写した画像情報と当該写真の撮影角度に対して、同一の生体情報管理番号と同一の画像管理番号を付与して一対のものとして管理することである。
また、本発明は、生体情報照合サブシステムと生体情報管理サブシステムをネットワークで接続する形態に限定されるものではなく、例えば、静脈写真や静脈パターン等に関する生体情報を生体情報認識装置の内部記憶装置あるいはICカード等の外部記録媒体に格納し、さらに、認識プログラムと管理プログラムを一台の装置で動作させ、ネットワークを使用しない形態の下、装置単独で本人確認処理を行ってもよい。
また、本発明で認識プログラムが行っている機能の一部、例えば、静脈の写真画像を元に静脈パターンを作成する等の機能を、制御装置ではない他の装置やシステムに分担させてもよい。
【００２４】
また、本発明では静脈を対象としているが、これは指の静脈に限定されるものではく、手首や足首等も包含する。
また、記憶装置とは、データ保持機能を有する装置であればよく、例えば、磁気ディスク、磁気ドラム、半導体記憶装置などを含む。
【００２５】
以下、本発明の一実施形態の詳細について、図面に基づいて詳細に説明する。
【００２６】
図１は本発明の一実施形態における生体情報照合システムの構成を示した構成図である。図において、生体情報照合システムは、生体情報照合サブシステム100と生体情報管理サブシステム200から構成され、生体情報照合サブシステム100と生体情報管理システム200はネットワーク10により接続されている。
【００２７】
まず、生体情報照合サブシステム100について説明する。
生体情報照合サブシステム100は、利用者の生体情報を読み取るための生体情報認識装置101、近赤外線光源102、カメラ104、制御装置106から構成されている。
制御装置106の内部では、認識プログラム107が動作するようになっている。また、制御装置106では、画像情報108、画像マスター管理情報205、画像管理情報206が使用される。
【００２８】
次に、生体情報管理サブシステム200について説明する。
生体情報管理サブシステム200は、サーバ201と記憶装置203から構成されている。また、サーバ201の内部では、管理プログラム202が動作するようになっている。また、記憶装置203には、画像情報108、画像マスター情報204、画像マスター管理情報205、画像管理情報206 が格納されるようになっている。
【００２９】
図2は、本発明の一実施形態における生体情報認識装置101の使用例を示した断面図である。生体情報認識装置101は、移動式の近赤外線光源102、静脈を撮影するカメラ104から構成されている。
【００３０】
また、図2の例で、生体情報認識装置101には、移動できる近赤外線光源102と移動できるカメラ104が備え付けられており、近赤外線光源102とカメラ104は一対の装置として連動する。
【００３１】
近赤外線光源102が180度に位置する場合、近赤外線光源102から0度の方向に放射された近赤外線は照合対象となる指の中を透過し、指の中を透過する際に発生した静脈の影は0度に位置するカメラ104により撮影され、撮影角度は0度となる。
その時、カメラ104は立体としての静脈をA面上に投影された二次元画像として撮影している。
【００３２】
また、近赤外線光源102が45度移動して135度に位置するようになった近赤外線光源103の場合、近赤外線光源103から135度の方向に放射された近赤外線は照合対象となる指の中を透過し、指の中を透過する際に発生した静脈の影は315度に位置するカメラ105により撮影され、撮影角度は315度となる。
この時、カメラ105は立体としての静脈をB面上に投影された二次元画像として撮影している。
【００３３】
図3は、生体情報照合システムで使用されるデータの設定項目の一例を示した図である。画像情報108は、照合対象者の静脈写真画像もしくは静脈パターン画像であり、当該画像のフォーマットは、画像データを保存するためにシステム開発者が採用したファイル形式に準拠する。例えば、画像データを保存するためのファイル形式として、可逆性のあるJPEG2000を採用した場合には、そのフォーマットはITU(International Telecommunication Union)が制定した規格に準拠し、BMP/DIBを採用した場合には、Bitmap / Microsoft Windows Device Independent Bitmapに準拠する。
【００３４】
また、画像データを保存するためのファイル形式は、JPEG2000とBMP/DIBに限定されるものではなく、PNG(Portable Network Graphics)、TIFF(Tag Image File Format)等を用いてもよく、その場合のフォーマットはそれぞれの規格制定者が定めた様式に準拠する。
また、ファィル名の一桁目には’G’を、ファイル名の二桁目以降には画像管理番号又は画像マスター管理番号をセットして使用する。
【００３５】
また、画像管理番号又は画像マスター管理番号の上二桁は西暦年の下二桁とし、三桁目以下の桁数は年間に発生するデータ件数を上回る桁数を設定する。画像マスター情報204は、照合対象者の生体情報を照合するための基準情報として、記憶装置203に登録してある画像情報である。また、ファィル名として画像マスター管理番号を使用する。
画像マスター管理情報205には、生体情報管理番号、画像マスター管理番号、撮影角度、画像採取日付、作成年月日などが項目として設定されている。
また、画像マスター管理情報205では、画像マスター管理番号が個々のデータをユニークにするキーとなっている。
【００３６】
また、画像マスター管理番号とは、画像マスター情報に付与した一連のユニークな管理番号であり、最初の一桁には’M’が設定してある。
また、撮影角度の項目にはカメラの撮影角度がセットされており、画像採取日付の項目には写真を撮影した時の年月日時分秒がセットされている。
画像管理情報206は、生体情報認識装置101に対して撮影角度を指示する同時に、撮影した写真を元に作成した画像情報108を管理するための情報であり、データ項目としては、生体情報管理番号、画像管理番号、画像マスター管理番号、撮影角度、画像採取日付、作成年月日などが項目として設定されている。
【００３７】
また、画像管理情報206では、画像管理番号が個々のデータをユニークにするキーとなっている。
【００３８】
また、画像管理番号とは、写真画像や画像パターンに付与した一連のユニークな管理番号であり、最初の一桁には’D’が設定してある。
また、撮影角度の項目にはカメラの撮影角度がセットされており、画像採取日付の項目には写真を撮影した時の年月日時分秒がセットされている。
【００３９】
以下、本発明における実施形態について、指静脈の画像情報を用いて本人確認を行うシステムを前提として、説明する。
【００４０】
なお、以下では、異なる角度から写した二枚の静脈写真を元に作成した二件の画像マスター管理情報を登録しているが、必ずしも、最低限である二件に限定する必要はなく、セキュリティのレベルを向上させるために三件以上の画像マスター管理情報を登録してもよい。
【００４１】
図4は、画像マスター登録プログラムフローチャート、図5は画像照合プログラムフローチャート(1/2)、図6は画像更新ログラムフローチャート(2/2)である。
【００４２】
図4において、生体情報照合サブシステム100では、生体情報認識装置101が、利用者から入力された生体情報管理番号を制御装置106に送信して、本人確認用の撮影角度の選定を依頼する(S100)。
【００４３】
次に、制御装置106では、認識プログラム107が、生体情報認識装置101から受信した生体情報管理番号を生体情報管理システム200で動作しているサーバ201に送信して、撮影角度の選定を依頼する(S101)。
【００４４】
次に、サーバ201では、管理プログラム202が、画像マスター管理情報205の「生体情報管理番号」に認識プログラム107から受信した生体情報管理番号をセットし、画像マスター管理情報205の「画像マスター管理番号」に記憶装置203に格納されている画像マスター管理情報205の中で最大の画像マスター管理番号に１を加算した数値をセットし、画像マスター管理情報205の「撮影角度」にランダムに選定した撮影角度をセットし、画像マスター管理情報205の「作成年月日」にシステム年月日をセットして一件目の画像マスター管理情報205を作成し、作成した一件目の画像マスター管理情報205を記憶装置203に登録する(S102)。
【００４５】
次に、サーバ201では、管理プログラム202が、画像マスター管理情報205の「生体情報管理番号」に認識プログラム107から受信した生体情報管理番号を、画像マスター管理情報205の「画像マスター管理番号」に記憶装置203に格納されている画像マスター管理情報205の中で最大の画像マスター管理番号に１を加算した数値をセットし、画像マスター管理情報205の「撮影角度」に一件目に選定した撮影角度とは異なる撮影角度をランダムに選定してセットし、画像マスター管理情報205の「作成年月日」にシステム年月日をセットして二件目の画像マスター管理情報205を作成し、作成した二件目の画像マスター管理情報205を記憶装置203に登録する(S103)。
【００４６】
次に、サーバ201では、管理プログラム202が、作成した二件の画像マスター管理情報205を生体情報照合サブシステム100に送信して、撮影角度を通知する(S104)。
次に、生体情報照合サブシステム100の制御装置106では、認識プログラム107が、生体情報管理サブシステム200から二件の画像マスター管理情報205を受信する(S105)。
【００４７】
次に、生体情報照合サブシステム100では、制御装置106で動作している認識プログラム107が、生体情報管理サブシステム200から受信した一件目の画像マスター管理情報205に含まれている撮影角度を生体情報認識装置101に送信する。(S106)。
次に、生体情報照合サブシステム100では、生体情報認識装置101が、制御装置106で動作している認識プログラム107から受信した画像マスター管理情報205に含まれている撮影角度に基づき、備え付けてある近赤外線光源102及びカメラ104を移動させ、指定された角度から登録者の指静脈の写真を撮影し、撮影した写真画像、生体情報管理番号、画像採取日付を一件目のデータとして制御装置106に送信する(S107)。
【００４８】
次に、制御装置106では、認識プログラム107が、生体情報認識装置101から受信した写真画像のファイル名称の一部として生体情報管理サブシステム200から受信した一件目の画像マスター管理情報205に含まれている画像マスター管理番号を付与して画像情報108を作成した後、生体情報管理サブシステム200から受信した一件目の画像マスター管理情報205の「画像採取日付」に生体情報認識装置101から受信した写真の画像採取日付をセットして、一件目の画像マスター管理情報205を更新する(S108)。
【００４９】
次に、生体情報照合サブシステム100では、制御装置106で動作している認識プログラム107が、生体情報管理サブシステム200から受信した二件目の画像マスター管理情報205に含まれている撮影角度を生体情報認識装置101に送信する。(S109)。
【００５０】
次に、生体情報照合サブシステム100では、生体情報認識装置101が、制御装置106で動作している認識プログラム107から受信した画像マスター管理情報205に含まれている撮影角度に基づき、備え付けてある近赤外線光源103及びカメラ105を移動させ、指定された角度から登録者の指静脈の写真を撮影し、撮影した写真画像、生体情報管理番号、画像採取日付を二件目のデータとして制御装置106に送信する(S110)。
【００５１】
次に、制御装置106では、認識プログラム107が、生体情報認識装置101から受信した写真画像のファイル名称の一部として生体情報管理サブシステム200から受信した二件目の画像マスター管理情報205に含まれている画像マスター管理番号を付与して画像情報108を作成した後、生体情報管理サブシステム200から受信した二件目の画像マスター管理情報205の「画像採取日付」に生体情報認識装置101から受信した二件目の写真の画像採取日付をセットして、二件目の画像マスター管理情報205を更新する(S111)。
【００５２】
次に、制御装置106では、認識プログラム107が、作成した二件の画像情報108と更新した二件の画像マスター管理情報205を生体情報管理サブシステム200に送信する (S112)。
【００５３】
次に、サーバ201では、管理プログラム202が、生体情報照合サブシステム100から受信した二件の画像情報108を元に二件の画像マスター情報204を作成して記憶装置203に登録した後、生体情報照合サブシステム100から受信した二件の画像マスター管理情報205用いて記憶装置203に格納されている二件の画像マスター管理情報205を更新する(S113)。
【００５４】
図5において、生体情報照合サブシステム100では、生体情報認識装置101が、利用者から入力された生体情報管理番号を制御装置106に送信する(S120)。
【００５５】
次に、制御装置106では、認識プログラム107が、生体情報認識装置101から受信した生体情報管理番号を生体情報管理システム200で動作しているサーバ201に送信して、撮影角度の選定を依頼する(S121)。
【００５６】
次に、サーバ201では、管理プログラム202が、画像マスター管理情報205の中から認識プログラム107から受信した生体情報管理番号に合致する複数のデータの中からランダムに一件を選択して撮影角度を決定した後、画像管理情報206の「生体情報管理番号」に認識プログラム107から受信した生体情報管理番号をセットし、画像管理情報206の「画像マスター管理番号」に記憶装置203に格納されている画像管理情報206の中で最大の「画像管理番号」に１を加算した数値をセットし、画像管理情報206の「画像マスター管理番号」と「撮影角度」にランダムに選択した画像マスター管理情報205の画像マスター管理番号と撮影角度をセットし、画像管理情報206の「作成年月日」にシステム年月日をセットして画像管理情報206を作成し、記憶装置203に登録する(S122)。
【００５７】
次に、サーバ201では、管理プログラム202が、作成した画像管理情報206を生体情報照合サブシステム100に送信して、選定した撮影角度を通知する(S123)。
【００５８】
次に、生体情報照合サブシステム100では、制御装置106で動作している認識プログラム107が、生体情報管理サブシステム200から画像管理情報206を受信する(S124)。
【００５９】
次に、制御装置106では、認識プログラム107が、生体情報管理システム200から受信した画像管理情報206に含まれている撮影角度を生体情報認識装置101に送信する(S125)
次に、生体情報照合サブシステム100では、生体情報認識装置101が、認識プログラム107から受信した撮影角度に基づいてカメラ104を移動させ、新しく位置取りしたカメラ105を使用して指静脈の写真を指定された角度から撮影し、カメラ105が撮影した写真と画像採取日付を制御装置106に送信する(S126)。
【００６０】
次に、制御装置106では、認識プログラム107が、生体情報認識装置101から受信した写真に生体情報管理サブシステム200から受信した画像管理情報206に含まれている画像管理番号をファイル名として付与して画像情報108を作成した後、生体情報管理サブシステム200から受信した画像管理情報206の「画像採取日付」に生体情報認識装置101から受信した画像採取日付をセットして、画像管理情報206を更新する(S127)。
【００６１】
次に、制御装置106では、認識プログラム107が、画像管理情報206の管理番号をファイル名として付与して作成した画像情報108と画像管理情報206を生体情報管理サブシステム200に送信する(S128)。
【００６２】
次に、サーバ201では、管理プログラム202が、生体情報照合サブシステム100から受信した画像管理情報206を用いて記憶装置203に格納されている画像管理情報206を更新する(S129)。
【００６３】
次に、サーバ201では、管理プログラム202が、画像管理情報206の「生体管理番号」と「画像マスター管理番号」を参照キーとして、画像マスター情報204の中から個人を特定するための写真画像を抜き出し、抜き出した写真画像と画像情報108の写真画像を比較(S130)した結果、本人であることが確認された場合にはその旨を知らせるメッセージを作成して生体情報照合サブシステム100に送信(S131)し、本人であることが否認された場合にはその旨のメッセージを作成して生体情報照合サブシステム100に送信する(S132)。
【００６４】
次に、サーバ201では、管理プログラム202が、例えば、画像の有効期間が一年と設定されていた場合には、画像マスター管理情報205の画像採取日付に一年を加算した日付とシステム日付を比較(S133)し、更新時期に達していない場合にはそこで処理を終了し、更新時期に達している場合には以下の処理を継続する。
【００６５】
次に、制御装置106では、認識プログラム107が、生体情報管理システムを使用している利用者に対して、「更新時期になりましたので静脈写真を撮影します」と画面にメッセージ表示を行う(S134)。
【００６６】
次に、サーバ201では、管理プログラム202が、更新時期の到来した画像マスター情報204と画像マスター管理情報205を記憶装置203から削除する(S135)。
次に、サーバ201では、管理プログラム202が、画像マスター管理情報205の「生体情報管理番号」に認識プログラム107から受信した生体情報管理番号をセットし、画像マスター管理情報205の「画像マスター管理番号」に記憶装置203に格納されている画像マスター管理情報205の中で最大の画像マスター管理番号に１を加算した数値をセットし、画像マスター管理情報205の「撮影角度」にランダムに選定した撮影角度をセットし、画像マスター管理情報205の「作成年月日」にシステム年月日をセットして一件目の画像マスター管理情報205を作成して記憶装置203に登録する(S136)。
【００６７】
次に、サーバ201では、管理プログラム202が、画像マスター管理情報205の「生体情報管理番号」に認識プログラム107から受信した生体情報管理番号を、画像マスター管理情報205の「画像マスター管理番号」に記憶装置203に格納されている画像マスター管理情報205の中で最大の画像マスター管理番号に１を加算した数値をセットし、画像マスター管理情報205の「撮影角度」に一件目に選定した撮影角度とは異なる撮影角度をランダムに選定してセットし、画像マスター管理情報205の「作成年月日」にシステム年月日をセットして二件目の画像マスター管理情報205を作成して記憶装置203に登録する(S137)。
【００６８】
次に、サーバ201では、管理プログラム202が、作成した二件の画像マスター管理情報205を生体情報照合サブシステム100に送信して、撮影角度を通知する(S138)。
次に、生体情報照合サブシステム100の制御装置106では、管理プログラム202が、生体情報管理サブシステム200から二件の画像マスター管理情報205を受信する(S139)。
次に、生体情報照合サブシステム100では、制御装置106で動作している認識プログラム107が、生体情報管理サブシステム200から受信した一件目の画像マスター管理情報205に含まれている撮影角度を生体情報認識装置101に送信する。(S140)。
【００６９】
次に、生体情報照合サブシステム100では、生体情報認識装置101が、制御装置106で動作している認識プログラム107から受信した画像マスター管理情報205に含まれている撮影角度に基づき、備え付けてある近赤外線光源102及びカメラ104を移動させ、指定された角度から登録者の指静脈の写真を撮影し、撮影した写真画像、生体情報管理番号、画像採取日付を一件目のデータとして制御装置106に送信する(S141)。
【００７０】
次に、制御装置106では、認識プログラム107が、生体情報認識装置101から受信した写真画像のファイル名称の一部として生体情報管理サブシステム200から受信した一件目の画像マスター管理情報205に含まれている画像マスター管理番号を付与して画像情報108を作成した後、生体情報管理サブシステム200から受信した一件目の画像マスター管理情報205の「画像採取日付」に生体情報認識装置101から受信した写真の画像採取日付をセットして、一件目の画像マスター管理情報205を更新する(S142)。
【００７１】
次に、生体情報照合サブシステム100では、制御装置106で動作している認識プログラム107が、生体情報管理サブシステム200から受信した二件目の画像マスター管理情報205に含まれている撮影角度を生体情報認識装置101に送信する。(S143)。
【００７２】
次に、生体情報照合サブシステム100では、生体情報認識装置101が、制御装置106で動作している認識プログラム107から受信した画像マスター管理情報205に含まれている撮影角度に基づき、備え付けてある近赤外線光源103及びカメラ105を移動させ、指定された角度から登録者の指静脈の写真を撮影し、撮影した写真画像、生体情報管理番号、画像採取日付を二件目のデータとして制御装置106に送信する(S144)。
次に、制御装置106では、認識プログラム107が、「静脈写真の撮影を終わりました」と画面にメッセージ表示を行う(S145)。
【００７３】
次に、制御装置106では、認識プログラム107が、生体情報認識装置101から受信した写真画像のファイル名称の一部として生体情報管理サブシステム200から受信した二件目の画像マスター管理情報205に含まれている画像マスター管理番号を付与して画像情報108を作成した後、生体情報管理サブシステム200から受信した二件目の画像マスター管理情報205の「画像採取日付」に生体情報認識装置101から受信した二件目の写真の画像採取日付をセットして、二件目の画像マスター管理情報205を更新する(S146)。
【００７４】
次に、制御装置106では、認識プログラム107が、作成した二件の画像情報108と更新した二件の画像マスター管理情報205を生体情報管理サブシステム200に送信する (S147)。
【００７５】
次に、サーバ201では、管理プログラム202が、更新期限が到来している古い画像マスター情報204と画像マスター管理情報205を削除し、生体情報照合サブシステム100から受信した二件の画像情報108を元に二件の二件の画像マスター情報204を作成して記憶装置203に登録した後、生体情報照合サブシステム100から受信した二件の画像マスター管理情報205用いて記憶装置203に格納されている二件の画像マスター管理情報205を更新する(S148)。
【００７６】
以下、静脈パターンを用いて本人照合する場合における実施形態の動作について、写真を用いて本人照合する場合の動作形態説明を部分的に補足する形で説明する。図4において、静脈パターンを用いて本人確認する場合の動作は以下のとおりとなる。
【００７７】
制御装置106では、認識プログラム107が、生体情報認識装置101から受信した一件目の写真を画像処理して静脈パターンを抽出し、抽出した静脈パターンのファイル名称の一部に生体情報管理サブシステム200から受信した一件目の画像マスター管理情報205に含まれている画像マスター管理番号を付与して画像情報108を作成した後、一件目の画像マスター管理情報205の「撮影角度」に生体情報認識装置101から受信した一件目の写真の撮影角度をセットし、一件目の画像マスター管理情報205の「画像採取日付」に生体情報認識装置101から受信した一件目の写真の画像採取日付をセットして、生体情報管理サブシステム200から受信した一件目の画像マスター管理情報205を更新する(S108)。
【００７８】
次に、制御装置106では、認識プログラム107が、生体情報認識装置101から受信した二件目の写真を画像処理して静脈パターンを抽出し、抽出した静脈パターンのファイル名称の一部に生体情報管理サブシステム200から受信した二件目の画像マスター管理情報205に含まれている画像マスター管理番号を付与して画像情報108を作成した後、二件目の画像マスター管理情報205の「撮影角度」に生体情報認識装置101から受信した二件目の写真の撮影角度をセットし、二件目の画像マスター管理情報205の「画像採取日付」に生体情報認識装置101から受信した二件目の写真の画像採取日付をセットして、生体情報管理サブシステム200から受信した二件目の画像マスター管理情報205を更新する(S111)。
【００７９】
次に、図5において、静脈パターンを用いて本人確認する場合の動作は以下のとおりとなる。制御装置106では、認識プログラム107が、生体情報認識装置101から受信した写真を画像処理して抽出した静脈パターンのファイル名称の一部に、生体情報管理サブシステム200から受信した画像管理情報206に含まれている画像管理番号を付与して画像情報108を作成した後、画像管理情報206の「撮影角度」に生体情報認識装置101から受信した写真の撮影角度をセットし、画像管理情報206の「画像採取日付」に生体情報認識装置101から受信した画像採取日付をセットして、画像管理情報206を更新する(S127)。
次に、サーバ201では、管理プログラム202が、画像管理情報206の「生体管理番号」と「画像マスター管理番号」を参照キーとして、画像マスター情報204の中から静脈パターン画像を抜き出して、抜き出した静脈パターン画像と画像情報108の静脈パターン画像を比較(S130)し、比較した結果が同じ場合には本人であることが確認された旨のメッセージを作成して生体情報照合サブシステム100に送信(S131)し、比較した結果が異なる場合は、本人であることが否認された旨のメッセージを生体情報照合サブシステム100に送信する(S132)。
【産業上の利用可能性】
【００８０】
本発明は、生体情報照合装置、及びネットワークを用いて本人確認を行う生体情報照合システムに適用できる。より適した利用分野は、例えば、高いレベルの本人確認が必要となる金融分野など。
【図面の簡単な説明】
【００８１】
【図１】本発明の一実施形態における生体情報照合システムの構成を示した構成図である。
【図２】本発明の一実施形態における生体情報認識装置の使用例を示した断面図である。
【図３】本発明の一実施形態におけるデータフォーマットである。
【図４】本発明の一実施の形態における画像マスター登録プログラムの動作を示すフローチャートである。
【図５】本発明の一実施の形態における画像照合プログラムの動作を示すフローチャート(1/2)である。
【図６】本発明の一実施の形態における画像照合プログラムの動作を示すフローチャート(2/2)である。
【符号の説明】
【００８２】
10：生体情報照合サブシステムと生体情報管理サブシステムを接続するネットワーク、100：生体情報照合サブシステム、101：生体情報認識装置、102：近赤外線光源、103: 近赤外線光源、104:カメラ、105：カメラ、106:制御装置、107：認識プログラム、108: 画像情報、200：生体情報管理サブシステム、201：サーバ、202：管理プログラム、203：記憶装置、204：画像マスター情報、205：画像マスター管理情報、206：画像管理情報。
【図１】
2008033850.tif 000003
【図２】
2008033850.tif 000004
【図３】
2008033850.tif 000005
【図４】
2008033850.tif 000006
【図５】
2008033850.tif 000007
【図６】
2008033850.tif 000008